(57)【要約】【課題】  通気孔を設けても、高強度を保つことができ、しかも構造が簡単で安価に製造できるようにした剛床パネルおよびそれを用いた剛床構造を提供する。【解決手段】柱８間に設けられた胴差１０上に、剛床パネル１の周縁部を載置して固着するようにした剛床構造において、剛床パネル１の側縁近傍における側縁１ａに掛からない位置に、剛床パネル１の板材を貫通する通気孔２を設け、通気孔２の一部が胴差１０と重合し、かつ他部が胴差１０より内方に外れるようにして、剛床パネル１の周縁部を胴差１０上に載置することにより、剛床パネル１の下方に形成される床下空間２９と、柱８間における胴差１０の上方に形成される壁体内通気層２３とを、通気孔２を介して連通する。【選択図】  図３
2006063749.tif 000002
【特許請求の範囲】
【請求項１】
板材の側縁近傍における側縁に掛からない位置に、板材を貫通する通気孔を設けたことを特徴とする剛床パネル。
【請求項２】
周縁部を横架材上に載置して支持される剛床パネルであって、
板材の側縁近傍における側縁に掛からない位置に、一部が前記横架材と重合し、かつ残部が前記横架材から内方に外れるようにした、前記板材を貫通する通気孔を設けたことを特徴とする剛床パネル。
【請求項３】
通気孔を円形孔としたことを特徴とする請求項１または２記載の剛床パネル。
【請求項４】
柱間に設けられた横架材上に、剛床パネルの周縁部を載置して固着するようにした剛床構造において、
前記剛床パネルの側縁近傍における側縁に掛からない位置に、剛床パネルの板材を貫通する通気孔を設け、前記通気孔の一部が前記横架材と重合し、かつ残部が前記横架材より内方に外れるようにして、前記剛床パネルの周縁部を横架材上に載置することにより、前記剛床パネルの下方に形成される床下空間と、前記柱間における横架材の上方に形成される壁体内通気層とを、前記通気孔を介して連通したことを特徴とする剛床構造。
【請求項５】
横架材の上方における柱間の外側部分に、断熱板を配設するとともに、前記柱間の室内側を内壁で覆い、前記断熱板と内壁との間に、壁体内通気層を形成したことを特徴とする請求項４記載の剛床構造。
【請求項６】
断熱板の下面と、それに対向する横架材の上面との間に断熱材を充填するとともに、前記断熱材における室内側の面の下端と、横架材上に載置された剛床パネルの周縁との間に、断熱材を充填するための空隙を形成したことを特徴とする請求項５記載の剛床構造。
【請求項７】
断熱材を発泡断熱材とした請求項６記載の剛床構造。
【請求項８】
内壁より室内側の剛床パネル上に、化粧床材を、前記剛床パネルにおける通気孔の内壁より室内側の部分を覆うようにして設けたことを特徴とする請求項５〜７のいずれかに記載の剛床構造。
【発明の詳細な説明】
【技術分野】
【０００１】
本発明は、木造建築物に使用される剛床パネルおよびそれを用いた剛床構造に関する。
【背景技術】
【０００２】
従来、板状部材の周縁部下面に別部材からなる凸部を設け、この凸部を介して、板状部材を横架材に載せることにより、板状部材と横架材間に空気通路を形成するようにした剛床構造がある（例えば、特許文献１参照）。
【０００３】
また、周縁に向けて開口するスリット状の通気孔を有する剛床パネルを横架材に取り付け、この通気孔から壁体内に設けた通気層に空気を取り入れて、剛床下から天井裏へ通じる空気流を生じさせるようにした住宅の剛床構造がある（例えば、特許文献２参照）。
【特許文献１】特開平２００２−１４６９５８号公報
【特許文献２】特開平２００３−３２８４６０号公報
【発明の開示】
【発明が解決しようとする課題】
【０００４】
特許文献１に記載されている剛床パネルは、板状部材の下面に別部材の凸部を設ける必要があるため、コストが高くなるという問題がある。
特許文献２に記載されている剛床パネルは、通気孔が周縁に向けて開口するスリット状のものであるため、周縁がスリットで分割された不連続形状となり、剛床パネルの周縁部の強度が弱体化する。またこの剛床パネルは、横架材上にその周縁部が支持され、周縁部に大きな荷重がかかるため、スリットにより不連続構造とされた周縁部では強度が弱く、特に通気性を良好にするため、スリットの幅や個数を増やそうとすると、ますます弱体化するという問題が生じる。
【０００５】
本発明は、従来の技術が有する上記のような問題点に鑑み、通気孔を設けても、高強度を保つことができるとともに、構造が簡単で安価に製造できるようにした剛床パネル、およびそれを用いた剛床構造を提供することを目的としている。
【課題を解決するための手段】
【０００６】
本発明によると、上記課題は、次のようにして解決される。
(１)板材の側縁近傍における側縁に掛からない位置に、板材を貫通する通気孔を設ける。
【０００７】
(２)周縁部を横架材上に載置して支持される剛床パネルであって、板材の側縁近傍における側縁に掛からない位置に、一部が前記横架材と重合し、かつ残部が前記横架材から内方に外れるようにした、前記板材を貫通する通気孔を設ける。  
【０００８】
(３)上記(１)または(２)項において、通気孔を円形孔とする。
【０００９】
(４)柱間に設けられた横架材上に、剛床パネルの周縁部を載置して固着するようにした剛床構造において、前記剛床パネルの側縁近傍における側縁に掛からない位置に、剛床パネルの板材を貫通する通気孔を設け、前記通気孔の一部が前記横架材と重合し、かつ残部が前記横架材より内方に外れるようにして、前記剛床パネルの周縁部を横架材上に載置することにより、前記剛床パネルの下方に形成される床下空間と、前記柱間における横架材の上方に形成される壁体内通気層とを、前記通気孔を介して連通する。
【００１０】
(５)上記(４)項において、横架材の上方における柱間の外側部分に、断熱板を配設するとともに、前記柱間の室内側を内壁で覆い、前記断熱板と内壁との間に、壁体内通気層を形成する。
【００１１】
(６)上記(５)項において、断熱板の下面と、それに対向する横架材の上面との間に断熱材を充填するとともに、前記断熱材における室内側の面の下端と、横架材上に載置された剛床パネルの周縁との間に、断熱材を充填するための空隙を形成する。
【００１２】
(７)上記(６)項において、断熱材を発泡断熱材とする。
【００１３】
(８)上記(５)項〜(７)項のいずれかにおいて、内壁より室内側の剛床パネル上に、化粧床材を、前記剛床パネルにおける通気孔の内壁より室内側の部分を覆うようにして設ける。
【発明の効果】
【００１４】
本発明によると、次のような効果を奏することができる。
(ａ)請求項１記載の発明によると、通気孔を、剛床パネルの側縁に掛からない位置に設けてあるので、剛床パネルの側縁が連続した構造となり、通気孔を設けても、側縁の強度が低下することなく、高強度を保つことができる。
また、板材に穿孔するだけで、剛床パネルを簡単かつ安価に製造することができる。
【００１５】
(ｂ) 請求項２記載の発明によると、通気孔を、その一部が横架材と重合し、かつ他部が横架材から内方に外れるように配置してあるから、剛床パネルの下方の空間と横架材上の空間とを、通気孔を介して簡単に連通させることができる。
【００１６】
(ｃ) 請求項３記載の発明によると、通気孔を円形にしてあるから、穿孔作業が容易になる。
【００１７】
(ｄ) 請求項４記載の発明によると、剛床パネルを横架材上に載置したとき、剛床パネルの側縁は連続しているので、剛床パネルの縁部の強度が低下するのを防止することができるとともに、剛床パネルを横架材に釘止め等する際における亀裂の発生を防止することができる。
また、通気孔により、剛床パネルの下方に形成される床下空間と、柱間における横架材の上方に形成される壁体内通気層とを、簡単に連通させることができ、通気手段を備えた強度の高い剛床構造を得ることができる。
【００１８】
(ｅ) 請求項５記載の発明によると、壁体内に縦方向の通気層を簡単に形成して、この通気管を、剛床パネルの通気孔を介して、床下空間に簡単に連通させることができる。
【００１９】
(ｆ) 請求項６記載の発明によると、断熱板における室内側の面の下端と、横架材上に載置された剛床パネルの周縁との間に設けられた空隙を利用して、断熱材を、断熱板の下面と、それに対向する横架材の上面との間に容易に挿入することができる。
【００２０】
(ｇ) 請求項７記載の発明によると、断熱材の充填を容易に行うことができる。
【００２１】
(ｈ) 請求項８記載の発明によると、通気孔における内壁より室内側の部分が、化粧床材により覆われるので、通気孔が室内に露呈することがなく、体裁がよい。
【発明を実施するための最良の形態】
【００２２】
以下、本発明の一実施形態を図面を参照して説明する。
図１は、本発明の剛床パネルの平面図であって、建築物に適用したときの柱および横架材を鎖線で示している。
同図に示すように、剛床パネル(１)は、長方形の構造用合板からなり、その周縁近傍には、側縁(1a)に掛からないように、側縁(1a)から若干の距離をおいて、板材を貫通する複数の円形の通気孔(２)が、ほぼ等間隔で設けられている。剛床パネル(１)の４隅、および必要に応じて、両側辺中央には、柱(８)を避けるための方形の切欠き(1b)が形成されている。なお、剛床パネル(１)の側辺の長さによっては、両側辺中央の切欠き(1b)は設ける必要はない。
【００２３】
図２は、上記剛床パネル(１)を用いた２階建て住宅の一例を示す縦断面図である。
同図に示すように、地面(３)に打設された基礎コンクリート(４)の周縁に沿って、布基礎(５)が立設され、布基礎(５)で囲まれた空間には鋼製束(６)が立設されている。この布基礎(５)上には、土台(７)（横架材）が横架され、土台(７)上には、複数本の柱(８)が立設されている。鋼製束(６)上には、大引(９)（横架材）が固定されている。柱(８)における２階部分には、胴差(10)（横架材）および剛床梁(11)（横架材）が、また屋根部分には桁(12)が、それぞれ取り付けられている。
【００２４】
柱(８)(８)、土台(７)、胴差(10)、および桁(12)の外側面には、外壁パネル(13)が、その内面に固着した断熱板(14)が、互いに隣接する柱(８)(８)間における土台(７)と胴差(10)との間、および 胴差(10)と桁(12)の間に嵌合するようにして取り付けられている。断熱板(14)の内面には、補強パネル(15)が取り付けられている。
【００２５】
外壁パネル(13)のさらに外側には、化粧外壁(16)が離間して設けられ、外壁パネル(13)との間に外側通気層(17)が形成されている。
【００２６】
１階および２階の床部分は、上記剛床パネル(１)を用いた剛床構造（詳細は後述）となっている。すなわち、１階部分においては、土台(７)および大引(９)上に、剛床パネル(１)の周縁部が載置して取り付けられ、２階部分においては、胴差(10)および剛床梁(11)上に、剛床パネル(１)の周縁部が、載置して取り付けられている。
【００２７】
１階部分においては、この剛床パネル(１)上に内壁(18)が設けられ、この内壁(18)上に天井材(19)が設けられている。また、２階部分においても、同様に、剛床パネル(１)上に内壁(20)が設けられ、この内壁(20)上に天井材(21)が設けられている。
【００２８】
図３は、図２のIII部の拡大図、図４は、図３のIV-IV線断面図である。
図３に示すように、２階部分において、胴差(10)および剛床梁(11)（図２参照）上に、剛床パネル(１)が取り付けられている。
【００２９】
図４に示すように、胴差(10)は、土台(７)（図４参照）上に立設した複数本の柱(８)(８)（図１参照、図４では、隅の１本のみ示している）間に横架された横架材であり、その幅寸法(T1)は、柱(８)の幅寸法(T2)と同一であって、胴差(10)の内面(10a)は、柱(８)の内面(8a)と同一面をなしている。
【００３０】
剛床パネル(１)は、その各通気孔(２)の一部が胴差(10)の上面と重合し、かつ他部が胴差(10)の内面(10a)より内方に外れるようにして、周縁部が胴差(10)上に載置され、かつ隣接する通気孔(２)(２)間において、胴差(10)に適宜釘止め(図示略)されている。したがって、各通気孔(２)は、全体が胴差(10)により塞がれるのではなく、一部が上下に連通する開放部分(2a)となっている。
【００３１】
図３に示すように、剛床パネル(１)の上面には、化粧床材(22)が、通気孔(２)の開放部分(2a)を塞ぐようにして取り付けられている。この化粧床材(22)の側端部上には内壁(20)が立設され、この内壁(20)と上記断熱材(14)または補強パネル(15)の内面との間に、内側通気層(壁体内通気層)(23)が形成されている。
化粧床材(22)の側縁(22a)と、内壁(20)の外面（内側通気層(22)側の面）と、胴差(10)の内面とは、それぞれほぼ同一面をなしている。(24)は、内壁(20)の下端部に内面に設けた幅木である。
【００３２】
図３および図４に示すように、断熱板(14)の端面は、それに対向する土台(７)、柱(８)、胴差(10)、および桁(12)等との間に、内方に向かって拡開する楔状の空間(25)を形成するような傾斜面(14a)としてあり、断熱板(14)を１対の柱(８)(８)間における土台(７)と胴差(10)との間、および胴差(10)と桁(12)との間に嵌合した後、上記楔状の空間(25)内に、発泡剤を注入発泡させて、断熱材(26)を形成させるか、または楔形断熱材(図示略)を嵌合して充填するようにしている。これは、１対の柱(８)(８)間における土台(７)と胴差(10)との間、および胴差(10)と桁(12)との間への断熱板(14)の充填を容易に行えるようにするとともに、断熱板(14)と土台(７)等との間の気密性を高めるためである。
【００３３】
上記のような楔状の空間(25)への発泡断熱材(26)の注入発泡、または楔形断熱材の充填を容易に行えるようにするため、この例では、断熱板(14)における室内側の面の下端と、土台(７)または胴差(10)上に載置された剛床パネル(１)の周縁との間に、作業用の空隙(27)が形成されている。
【００３４】
図３および図４では、２階の胴差(10)の部分のみを示しているが、２階の剛床梁(11)の部分においても、剛床梁(11)と剛床パネル(１)の通気孔(２)との関係は上記と同様である。
また、１階の土台(７)および大引(９)の部分において、それらと剛床パネル(１)の通気孔(２)との関係は、上記と同様である。
【００３５】
このような構成としたことにより、１階の剛床パネル(１)の下方に形成される床下空間(28)は、１階の剛床パネル(１)の通気孔(２)を介して、内側通気層(23)と連通するとともに、２階の剛床パネル(１)の下方に形成される床下空間(29)も、２階の剛床パネル(１)の通気孔(２)を介して、内側通気層(23)と連通し、各床下空間(28)(29)から内側通気層(23)に流入した空気は、矢印(30)のように上昇して、小屋空間(29)（図２参照）へ循環することができる。
【００３６】
以上のように、本発明の剛床パネルおよびそれを用いた剛床構造では、剛床パネル(１)の通気孔(２)を、板材の側縁近傍における側縁(1a)に掛からない位置に設けたことにより、周縁部が連続した形状となり、かつ土台(７)、大引(９)、胴差(10)、剛床梁(11)等の横架材上に取り付けた状態において、剛床パネル(１)の周縁部にかかる荷重に耐えうる充分な強度を得ることができる。
【００３７】
なお、上記実施形態では、通気孔(２)を円形としてあるが、通気孔(２)を、例えば、角型、楕円形等任意の形状にすることができる。但し、円形にすると、穿孔作業が容易であるという利点がある。
【図面の簡単な説明】
【００３８】
【図１】本発明の剛床パネルの一実施形態を示す平面図である。
【図２】本発明の剛床構造を備えた住宅の一部の縦断面図である。
【図３】図２のIII部の拡大断面図である。
【図４】図３のIV-IV線断面図である。
【符号の説明】
【００３９】
(１)  剛床パネル
(1a)  側縁
(1b)  切欠き
(２)  通気孔
(３)  地面
(４)  基礎コンクリート
(５)  布基礎
(６)  鋼製束
(７)  土台
(８)  柱
(8a)  内面
(９)  大引
(10)  胴差
(10a) 内面
(11)  剛床梁
(12)  桁
(13)  外壁パネル
(14)  断熱材
(14a) 傾斜面
(15)  補強パネル
(16)  化粧外壁
(17)  外側通気層
(18)  内壁
(19)  天井材
(20)  内壁
(21)  天井材
(22)  化粧床材
(22a) 縁
(23)  内側通気層(壁体内通気層)
(24)  幅木
(25)  空間
(26)  発泡断熱材
(27)  空隙
(28)(29)床下空間
(30)  矢印
(31)  小屋空間
(T1)  寸法
(T2)  寸法
【図１】
2006063749.tif 000003
【図２】
2006063749.tif 000004
【図３】
2006063749.tif 000005
【図４】
2006063749.tif 000006